(57)【要約】【課題】  締付部材の締付作業を容易に行うことができ、管体どうしの接続を確実に行うことができる、管接続具を提供する。【解決手段】  管接続具２は、合することにより筒状体３を構成する二つの分割筒部材４、４と、分割筒部材４、４の互いに開閉する周方向の端部４ａ、４ａを連結する連結部材５とを備える。両分割筒部材４、４は、周方向の一端側が、ヒンジＨにより連結され、周方向の他端側の前記端部４ａ、４ａが、連結部材５により連結される。さらに、分割筒部材４は、端部４ａに結合部４ｂを有し、また、分割筒部材４には、その外面より突設されるボルト体９が設けられる。連結部材５は、板材からなり、頂片５ａと側片５ｂ、５ｂとから構成される。そして、連結部材５は、その連結部材５に挿通されたボルト体９に螺合する締付部材６の締め付けにより、その締付部材６に押されて結合部４ｂ、４ｂに係合し、端部４ａ、４ａの閉じた状態を保持する。【選択図】  図２
2007064487.tif 000002
【特許請求の範囲】
【請求項１】
管体どうしを接続するために、それら管体の外側に筒状体の各開口部が嵌まる接続具であって、
合することにより前記筒状体を構成する分割筒部材と、
前記分割筒部材の互いに開閉する周方向の端部を連結する連結部材とを備え、
前記分割筒部材は、前記端部に、外方に突出する結合部を有し、
前記連結部材は、板材からなり、前記結合部の先端面と向かい合う頂片と、その頂片の両側から折れ曲がって延びて、前記結合部の互いに向かい合う端面とは反対側の面と向かい合う側片とから、構成され、
前記連結部材は、前記分割筒部材の内外を貫く方向が螺芯方向となるとともに前記分割筒部材側に設けられる螺設部に螺合する、締付部材の締め付けにより、その締付部材に押されて、前記結合部に係合し、前記端部の閉じた状態を保持することを特徴とする管接続具。
【請求項２】
前記連結部材および前記結合部は、それらが互いに係合する係合面が、前記筒状体の軸方向に沿って、連続的または断続的に延設されていることを特徴とする請求項１に記載の管接続具。
【請求項３】
前記分割筒部材は、前記端部を互いに近接させた際に、それら端部の間の所定の隙間を越える離間を防止するよう互いに係合する仮連結部を有することを特徴とする請求項１または２に記載の管接続具。
【請求項４】
前記分割筒部材には、その内面側に止水パッキンが設けられ、
前記止水パッキンは、前記分割筒部材の前記端部の連結によって、前記管体の外面に密接するとともに、周方向の端面が互いに密接してパッキン筒状体を形成することを特徴とする請求項１ないし３のいずれか１項に記載の管接続具。
【請求項５】
前記筒状体は、二つの前記分割筒部材からなり、それら両分割筒部材は、周方向の一端側がヒンジにより連結され、周方向の他端側の前記端部が前記連結部材により連結されることを特徴とする請求項１ないし４のいずれか１項に記載の管接続具。
【発明の詳細な説明】
【技術分野】
【０００１】
この発明は、管体どうしを接続するための管接続具に関するものである。
【背景技術】
【０００２】
従来、管体どうしを接続する管接続具として、特許文献１とか特許文献２に示される接続具が一般に使用されていた。ここで、例えば特許文献２においては、図１０に示されるように、管接続具１１は、半割りとなった両分割筒部材１２、１２が、その周方向の一端側がヒンジ１３により連結され、周方向の他端側が締付部材としての締結ボルト１４により連結されていた。すなわち、分割筒部材１２は、周方向の一端側に、ヒンジ結合部１２ａが外方に突出して形成されており、また、周方向の他端側に、締結ボルト１４が挿通される鍔部１２ｂが外方に突出して形成されていた。こうして、この接続具１１は、両分割筒部材１２、１２の鍔部１２ｂ、１２ｂを締結ボルト１４により締め付けて結合することで、両分割筒部材１２、１２を一体に組み付けて筒状体を構成し、その筒状体内に挿入された管体１５、１５どうしを接続するものであった。
【０００３】
【特許文献１】実開平１−１６３２９２号公報
【０００４】
【特許文献２】実開平３−５０９２１号公報
【発明の開示】
【発明が解決しようとする課題】
【０００５】
ところで、前記従来の管接続具１１においては、締結ボルト１４の軸方向が、両鍔部１２ｂ、１２ｂの当接面１２ｃと直交する方向となっていた。そのため、締結ボルト１４を回転させるスパナ等の締付工具が、分割筒部材１２の外面と干渉して、締付作業が困難になるという問題があった。これは、例えば、管体１５が地中に埋設配管される場合等、地中での作業スペースが十分でないことが多く、また、連結箇所も多数に及ぶこともあり、この締付作業が著しく面倒であった。
【０００６】
また、他の問題として、前述のように、締結ボルト１４の軸方向が、両鍔部１２ｂ、１２ｂの当接面１２ｃと直交する方向となっていたため、締結ボルト１４を、鍔部１２ｂ、１２ｂに挿通させるにあたって、両分割筒部材１２、１２の鍔部１２ｂ、１２ｂをほぼ完全に密接させる必要があった。しかし、内部に止水パッキンを介在させる場合など、密接させることが困難な場合には、鍔部１２ｂのボルト挿通孔１２ｄを締結ボルト１４のボルト径に対して相当大きく形成し、そのボルト挿通孔１２ｄに挿入した前記締結ボルト１４の締付けにより、両分割筒部材１２、１２を閉じる必要があった。ところが、ボルト挿通孔１２ｄをボルト径に対して大きく形成することは、両分割筒部材１２、１２どうしのずれを生じさせ、強度上、止水上も好ましくなかった。なお、両分割筒部材１２、１２の鍔部１２ｂ、１２ｂを密接させた後、締結ボルト１４を挿通する作業は、接続具１１の内径に対する管体１５の外径のばらつきにより、あるいは、内部に止水パッキン等を介在させる場合等により、困難となることが多かった。
【０００７】
この発明は、上記した従来の欠点を解決するためになされたものであり、その目的とするところは、締付部材の締付作業を容易に行うことができ、管体どうしの接続を確実に行うことができる、管接続具を提供することにある。
【課題を解決するための手段】
【０００８】
この発明に係る管接続具は、前記目的を達成するために、次の構成からなる。すなわち、
請求項１に記載の発明に係る管接続具は、管体どうしを接続するために、それら管体の外側に筒状体の各開口部が嵌まる接続具である。この管接続具は、合することにより前記筒状体を構成する分割筒部材と、前記分割筒部材の互いに開閉する周方向の端部を連結する連結部材とを備える。ここで、前記分割筒部材は、前記端部に、外方に突出する結合部を有する。前記連結部材は、板材からなり、前記結合部の先端面と向かい合う頂片と、その頂片の両側から折れ曲がって延びて、前記結合部の互いに向かい合う端面とは反対側の面と向かい合う側片とから、構成される。そして、前記連結部材は、前記分割筒部材の内外を貫く方向が螺芯方向となるとともに前記分割筒部材側に設けられる螺設部に螺合する、締付部材の締め付けにより、その締付部材に押されて、前記結合部に係合し、前記端部の閉じた状態を保持する。
【０００９】
こうして、この接続具は、筒状体を構成する分割筒部材と、それら分割筒部材の互いに開閉する周方向の端部を連結する連結部材とを備えている。そして、分割筒部材側には、その分割筒部材の内外を貫く方向が螺芯方向となる螺設部が設けられており、その螺設部に、締付部材が螺合する。そこで、この締付部材の締め付けにより、連結部材が、締付部材に押されて、結合部に係合し、分割筒部材の端部の閉じた状態を保持する。このとき、締付部材が螺合する螺設部の螺芯方向が、分割筒部材の内外を貫く方向となっているので、締付部材を締め付けるスパナ等の締付工具と、分割筒部材の外面との干渉を避けることができる。そして、このようにして、それら端部は連結されて筒状体が形成され、その筒状体によって、管体どうしが接続される。
【００１０】
また、請求項２に記載の発明に係る管接続具のように、請求項１に記載の管接続具において、前記連結部材および前記結合部は、それらが互いに係合する係合面が、前記筒状体の軸方向に沿って、連続的または断続的に延設されてもよい。こうして、連結部材と結合部とが互いに係合する係合面が、筒状体の軸方向に沿って、連続的または断続的に延設されることで、分割筒部材の端部は、前記軸方向の全体が、容易に閉じられる。
【００１１】
また、請求項３に記載の発明に係る管接続具のように、請求項１または２に記載の管接続具において、前記分割筒部材は、前記端部を互いに近接させた際に、それら端部の間の所定の隙間を越える離間を防止するよう互いに係合する仮連結部を有してもよい。これにより、予め、仮連結部を係合させておくことで、分割筒部材の端部は、所定の隙間を越える離間が防止される。そこで、その後に、連結部材を所定の位置に組み付ければ、その組み付けが容易に行われる。
【００１２】
また、請求項４に記載の発明に係る管接続具のように、請求項１ないし３のいずれか１項に記載の管接続具において、前記分割筒部材には、その内面側に止水パッキンが設けられ、前記止水パッキンは、前記分割筒部材の前記端部の連結によって、前記管体の外面に密接するとともに、周方向の端面が互いに密接してパッキン筒状体を形成してもよい。こうして、分割筒部材の内面側に止水パッキンが設けられ、分割筒部材の端部の連結によって、止水パッキンが、管体の外面に密接するとともに、周方向の端面が互いに密接してパッキン筒状体を形成することで、接続される管体は、確実に止水される。
【００１３】
また、請求項５に記載の発明に係る管接続具のように、請求項１ないし４のいずれか１項に記載の管接続具において、前記筒状体は、二つの前記分割筒部材からなり、それら両分割筒部材は、周方向の一端側がヒンジにより連結され、周方向の他端側の前記端部が前記連結部材により連結されてもよい。これにより、両分割筒部材は、周方向の一端側のヒンジを中心とて回動することで、周方向の他端側の端部は、互いに開閉可能となっている。そして、この周方向の他端側の端部は、連結部材によって連結される。
【発明の効果】
【００１４】
この発明に係る管接続具によれば、締付部材を締め付ける締付工具と、分割筒部材の外面との干渉を避けることができるので、締付部材の締付作業を容易に行うことができ、したがって、管体どうしの接続を確実に行うことができる。
【発明を実施するための最良の形態】
【００１５】
以下、この発明に係る管接続具を実施するための最良の形態を図面に基づいて説明する。
【００１６】
図１ないし図９は、本発明に係る管接続具の一実施の形態を示す。図中符号１は、波付管等の管体である。２は、管接続具であり、前記管体１、１どうしを接続するために、それら管体１、１の外側に筒状体３の軸方向の両端部に設けられた各開口部３ａが嵌まるようになっている。
【００１７】
ここで、管接続具２は、合することにより前記筒状体３を構成する分割筒部材４、４と、それら分割筒部材４、４の互いに開閉する周方向の端部４ａ、４ａを連結する連結部材５とを備えている。そして、分割筒部材４、４側には、その分割筒部材４、４の内外を貫く方向が螺芯方向となる、螺設部Ｒが設けられている。連結部材５は、前記螺設部Ｒに螺合する締付部材６の締め付けにより、前記端部４ａ、４ａの閉じた状態を保持する。なお、図示実施の形態においては、分割筒部材４は、前記端部４ａに結合部４ｂを有しており、連結部材５は、螺設部Ｒに螺合する締付部材６の締め付けにより、結合部４ｂ、４ｂと係合して、端部４ａ、４ａの閉じた状態を保持する。
【００１８】
詳細には、筒状体３は、二つの分割筒部材４、４からなり、それら両分割筒部材４、４は、周方向の一端側が、ヒンジＨにより連結され、周方向の他端側の前記端部４ａ、４ａが、連結部材５により連結されている。より詳細には、筒状体３は、円筒形状をしており、その円筒形状を半割りにした形状が、分割筒部材４となっている。そして、分割筒部材４の周方向の一端側には、ピン孔４ｃを備えるヒンジ形成部４ｄが、外方に突出して設けられている。このようにして、両分割筒部材４、４のヒンジ形成部４ｄ、４ｄと、それらのピン孔４ｃ、４ｃに連通して挿入されるピンＰとが、前記ヒンジＨを構成することとなり、両分割筒部材４、４は、ピンＰを軸として互いに回動可能となる。また、結合部４ｂは、分割筒部材４の周方向の他端側の前記端部４ａに、外方に突出して設けられている。図示実施の形態においては、前記結合部４ｂは、前記端部４ａにおける、分割筒部材４が延びる方向（分割筒部材４が構成する筒状体３の軸方向に相当する方向）の一部（例えば、中央部分）に設けられているが、その全体に渡って設けられてもよい。また、前記端部４ａにおいて、前記結合部４ｂが設けられる個所は、図１に明示するように、連結部材５のほぼ板厚分だけ窪んでいるが、必ずしもそのように窪ませる必要はない。そして、結合部４ｂ、４ｂの、互いに向かい合う端面４ｅ、４ｅには、後述するボルト体９の頭部側を収容するボルト体収容部４ｆ、４ｆが形成されている。また、結合部４ｂの、前記端面４ｅとは反対側の面が、先端ほど端面４ｅ側に近づくように傾斜する傾斜面４ｇとなっており、両分割筒部材４、４における結合部４ｂ、４ｂのこれら傾斜面４ｇ、４ｇが、先端ほど幅狭となるテーパー面Ｔ１を形成している。
【００１９】
また、分割筒部材４、４は、前記端部４ａ、４ａを互いに近接させた際に、それら端部４ａ、４ａの間の所定の隙間Ｓを越える離間を防止するよう互いに係合する仮連結部Ｋ、Ｋを有している（図３、図５参照）。この仮連結部Ｋは、一方の分割筒部材４にあっては、その端部４ａ（図示実施の形態においては結合部４ｂ）に形成される、例えば可撓性を備えた、係合爪４ｈであり、もう一方の分割筒部材４にあっては、同じく端部４ａ（図示実施の形態においては結合部４ｂ）に形成されて前記係合爪４ｈと係合する係合片４ｉである。図示実施の形態においては、双方の分割筒部材４、４は、ともに係合爪４ｈおよび係合片４ｉの両者を備えている。
【００２０】
さらに、分割筒部材４には、その内面側に後述する止水パッキン７が設けられる。すなわち、分割筒部材４は、その内面に、前記止水パッキン７を収容するパッキン収容部４ｊが形成されている。そして、このパッキン収容部４ｊには、分割筒部材４、４を開いた際に、止水パッキン７が外れるのを防止するよう、止水パッキン７の後述する被係合部Ｌ２と係合する係合部Ｌ１が形成されている。具体的には、係合部Ｌ１は、分割筒部材４の内側の周方向の各端側に位置する係合突部４ｋと、分割筒部材４の内側の周方向に延設される凹条４ｍとからなっている。なお、図示実施の形態においては、これら分割筒部材４、４は、同一部品であって、互いの向きを反転した姿勢で組み付けられる。
【００２１】
止水パッキン７、７は、分割筒部材４、４の前記端部４ａ、４ａの連結によって、管体１、１の外面に密接するとともに、周方向の端面７ａ、７ａが互いに密接してパッキン筒状体８を形成する。詳細には、止水パッキン７は、分割筒部材４と対応するように、パッキン筒状体８を二つに分割した形状である。そして、止水パッキン７には、被係合部Ｌ２が形成されている。この被係合部Ｌ２は、止水パッキン７の外側の周方向の各端側に位置する係合孔７ｂと、この止水パッキン７の外側の周方向に延設される凸条７ｃとからなっている。こうして、止水パッキン７の係合孔７ｂと、分割筒部材４の係合突部４ｋとが係合し、止水パッキン７の凸条７ｃと、分割筒部材４の凹条４ｍとが係合することとなる。
【００２２】
また、前記螺設部Ｒは、例えば、分割筒部材４、４の外面より突設されるボルト体９に形成された雄ねじ部９ａからなる。そして、図示実施の形態においては、締付部材６は、例えば、ボルト体９の雄ねじ部９ａに螺合するナットからなっている。
【００２３】
連結部材５は、締付部材６の締め付けに伴って、分割筒部材４、４の前記端部４ａ、４ａを漸次閉じるべく、前記結合部４ｂ、４ｂに徐々に係合する。詳細には、連結部材５は、板材からなり、結合部４ｂ、４ｂの先端面４ｎ、４ｎと向かい合う頂片５ａと、その頂片５ａの両側から折れ曲がって延びて、結合部４ｂ、４ｂの傾斜面４ｇ、４ｇと向かい合う側片５ｂ、５ｂとから構成されている。そして、両側片５ｂ、５ｂの内側面５ｃ、５ｃが、基端ほど幅狭となるテーパー面Ｔ２を形成し、前記結合部４ｂ、４ｂのテーパー面Ｔ１（傾斜面４ｇ、４ｇ）に対向している。こうして、連結部材５と結合部４ｂ、４ｂとは、テーパー面Ｔ２、Ｔ１をもって係合する。そして、連結部材５および結合部４ｂ、４ｂは、それらが互いに係合する係合面（図示実施の形態においては、テーパー面Ｔ２、Ｔ１）が、筒状体３の軸方向に沿って、連続的に延設されている。また、連結部材５は、頂片５ａに通孔５ｄが明けられており、この通孔５ｄを介して、前記ボルト体９は、連結部材５に挿通される。そして、ボルト体９の雄ねじ部９ａに螺合する締付部材６を、連結部材５の上方から締め付けると、連結部材５が、締付部材６に押されて、その連結部材５（詳細にはテーパー面Ｔ２）は、結合部４ｂ、４ｂ（詳細にはテーパー面Ｔ１）に徐々に係合する。
【００２４】
次に、以上の構成からなる管接続具２の作用効果について説明する。この管接続具２は、筒状体３を構成する両分割筒部材４、４が、周方向の一端側のヒンジＨを中心とて回動することで、周方向の他端側の端部４ａ、４ａは、互いに開閉可能となっている。そして、この周方向の他端側の端部４ａ、４ａが、連結部材５によって連結される。
【００２５】
すなわち、両分割筒部材４、４は、互いに開閉する周方向の端部４ａ、４ａに結合部４ｂ、４ｂを有している。そして、分割筒部材４、４側には、それら分割筒部材４、４の内外を貫く方向が螺芯方向となる雄ねじ部９ａが設けられており、その雄ねじ部９ａに、締付部材６が螺合する。具体的には、雄ねじ部９ａは、ボルト体９に形成されており、このボルト体９が、分割筒部材４、４の外面より突設されるように、ボルト体収容部４ｆ、４ｆに収容される。そこで、この雄ねじ部９ａに螺合する締付部材６の締め付けにより、連結部材５が、締付部材６に押されて、分割筒部材４、４の結合部４ｂ、４ｂと係合し、分割筒部材４、４の端部４ａ、４ａの閉じた状態を保持する。このとき、締付部材６が螺合する雄ねじ部９ａの螺芯方向が、分割筒部材４、４の内外を貫く方向となっているので、締付部材６を締め付けるスパナ等の締付工具と、分割筒部材４、４の外面との干渉を避けることができる。そして、このようにして、それら端部４ａ、４ａは連結されて、筒状体３が形成され、その筒状体３によって、管体１、１どうしが接続される。こうして、この管接続具２によると、締付部材６を締め付ける締付工具と、分割筒部材４、４の外面との干渉を避けることができ、締付部材６の締付作業を容易に行うことができる。そして、締付部材６の締付作業が容易となることから、管体１、１どうしの接続を確実に行うことができる。
【００２６】
また、締付部材６を締め付けたとき、連結部材５と結合部４ｂ、４ｂとが、テーパー面Ｔ２、Ｔ１をもって係合して、連結部材５が、分割筒部材４、４の結合部４ｂ、４ｂに徐々に係合する。こうして、連結部材５は、分割筒部材４、４の端部４ａ、４ａを漸次閉じるので、それら端部４ａ、４ａは強固に閉じられる。したがって、筒状体３の内部に止水パッキン７等を介在させる際の締付作業が簡単に行われる。なお、止水パッキン７、７は、分割筒部材４、４の端部４ａ、４ａの連結によって、管体１、１の外面に密接するとともに、周方向の端面７ａ、７ａが互いに密接してパッキン筒状体８を形成する。こうして、この止水パッキン７、７によって、接続される管体１、１の止水を確実に行うことができる。
【００２７】
また、連結部材５と結合部４ｂ、４ｂとが互いに係合する係合面、すなわちテーパー面Ｔ２、Ｔ１が、筒状体３の軸方向に沿って、連続的に延設されており、分割筒部材４、４の端部４ａ、４ａは、前記軸方向の全体が、容易に閉じられる。こうして、締付部材６を締め付けることで、連結部材５と結合部４ｂ、４ｂとが、筒状体３の軸方向に沿って連続的に延設されたテーパー面Ｔ２、Ｔ１をもって係合し、分割筒部材４、４の端部４ａ、４ａ全体を、容易に閉じることができる。しかも、図示実施の形態のように、ボルト体９（雄ねじ部９ａ）と締付部材６とは、一つであってもよいので、その締付作業を短時間で行うことができる。なお、これらのことは、連結部材５と結合部４ｂ、４ｂとが互いに係合する係合面、すなわちテーパー面Ｔ２、Ｔ１が、筒状体３の軸方向に沿って、連続的に延設された場合に限定されず、断続的に延設された場合にも、同様の作用効果を奏する。
【００２８】
また、分割筒部材４、４は、仮連結部Ｋ、Ｋを有しており、図５に示すように、予め、この仮連結部Ｋ、Ｋを互いに係合させておくことで、分割筒部材４、４の端部４ａ、４ａは、所定の隙間Ｓを越える離間が防止される。そこで、その後に、連結部材５を所定の位置に組み付ければ、すなわち、締付部材６を締め付ければ、連結部材５の組み付けが容易に行われる（図２、図３参照）。特に、図示実施の形態においては、仮連結部Ｋ、Ｋが互いに係合し、分割筒部材４、４の端部４ａ、４ａが、隙間Ｓだけ離れた状態で、連結部材５は結合部４ｂ、４ｂと係合可能となっている。したがって、仮連結部Ｋ、Ｋを互いに係合させれば、連結部材５を結合部４ｂ、４ｂと係合させることができ、この連結部材５の組付作業を簡単に行うことができる。
【００２９】
なお、本発明は、上述した実施の形態に限定されるわけではなく、その他種々の変更が可能である。例えば、分割筒部材４、４は、周方向の一端側がヒンジにＨより連結され、他端側が連結部材５により連結されているが、周方向の両端側が、連結部材５、５により連結されてもよい。
【００３０】
また、この管接続具２の筒状体３は、二つの分割筒部材４、４からなっているが、三つ、あるいはそれ以上の分割筒部材からなっていてもよい。
【００３１】
また、ボルト体９は、両分割筒部材４、４のボルト体収容部４ｆ、４ｆに収容されるが、いずれか一方に収容されてもよい。
【００３２】
また、螺設部Ｒは、ボルト体９に形成された雄ねじ部９ａからなり、締付部材６は、前記雄ねじ部９ａに螺合するナットからなるが、反対に、螺設部Ｒが、分割筒部材４に直接形成された、あるいは分割筒部材４とは別体のナットに形成された、雌ねじ部からなり、締付部材６が、前記雌ねじ部に螺合するボルトからなっていてもよい。
【００３３】
また、連結部材５と結合部４ｂ、４ｂとは、テーパー面Ｔ２、Ｔ１をもって係合しているが、このテーパー面は、連結部材５と結合部４ｂ、４ｂとの両者に設けられなくとも、いずれか一方に設けられてもよい。さらに、連結部材５と結合部４ｂ、４ｂとは、テーパー面Ｔ２、Ｔ１をもって係合しなくとも、階段状の面をもって係合してもよく、また、徐々に係合することはできないが平行面をもって係合してもよい。
【００３４】
また、分割筒部材４は、仮連結部Ｋを有しているが、この仮連結部Ｋは、無くともよい。また、分割筒部材４には、その内面側に止水パッキン７が設けられているが、この止水パッキン７は、必要なければ無くともよい。
【００３５】
また、この管接続具２によって接続される管体１は、蛇腹状あるいはスパイラル状の波付管でなくとも、平坦な管であってもよい。また、この管体１は、電線等のケーブルを収容保護するものであってもよく、通水管等の流体管を収容保護するものであってもよく、さらには、この管体１によって、流体等を直接流通させてもよい。
【００３６】
また、この管接続具２は、管体１、１どうしを接続するために用いられるが、その他に、管体１の破損箇所を修復するために用いてもよい。すなわち、管体１に、亀裂、破れ等の破損が生じた場合には、その部分にこの管接続具２を取り付けることで、その破損箇所を修復することができる。もっとも、破損箇所を含めて、リング状に切断除去し、その後、分断された管体どうしを接続してもよい。
【図面の簡単な説明】
【００３７】
【図１】この発明に係る管接続具の一実施の形態の、縦断面図である。
【図２】同じく、図１におけるＡ−Ａ線による断面図である。
【図３】同じく、図１におけるＢ−Ｂ線による断面図である。
【図４】同じく、図１におけるＣ−Ｃ線による断面図である。
【図５】同じく、仮連結の状態を示す図３相当図である。
【図６】同じく、分割筒部材の正面図である。
【図７】同じく、分割筒部材の側面図である。
【図８】同じく、分割筒部材の平面図である。
【図９】同じく、止水パッキンの斜視図である。
【図１０】従来の管接続具を示す正面図である。
【符号の説明】
【００３８】
１  管体
２  管接続具
３  筒状体
３ａ  開口部
４  分割筒部材
４ａ  端部
４ｂ  結合部
４ｅ  端面
４ｎ  先端面
５  連結部材
５ａ  頂片
５ｂ  側片
６  締付部材
７  止水パッキン
８  パッキン筒状体
Ｈ  ヒンジ
Ｋ  仮連結部
Ｒ  螺設部
Ｓ  隙間
【図１】
2007064487.tif 000003
【図２】
2007064487.tif 000004
【図３】
2007064487.tif 000005
【図４】
2007064487.tif 000006
【図５】
2007064487.tif 000007
【図６】
2007064487.tif 000008
【図７】
2007064487.tif 000009
【図８】
2007064487.tif 000010
【図９】
2007064487.tif 000011
【図１０】
2007064487.tif 000012